(57)【要約】【課題】本発明は、栽培品目に汎用性があり、栽培品目やレイアウトの変更が可能であり、空調装置のエネルギー効率が改善された栽培システムを提供する。【解決手段】本発明の栽培システムは、農業用ハウスと、農業用ハウス内に配置され、複数の栽培槽が移動自在に載置される複数の栽培用架台と、農業用ハウス内の空気の温度を調節する空調装置と、を備えた栽培システムであって、農業用ハウスは、栽培用架台が設けられる内側ハウス部と、内側ハウス部の外側を覆う外側ハウス部とに仕切られ、栽培用架台は、箱型状の本体部と、本体部の周囲を覆って本体部を防水する防水カバーと、によって形成され、空調装置は、前記内側ハウス部内に設けられる室内機と、室内機と冷媒パイプを介して接続され、前記外側ハウス部内に設けられる室外機と、を備えることを特徴とする。【選択図】  図１
2015073451.tif 000002
【特許請求の範囲】
【請求項１】
被覆材によって覆われた農業用ハウスと、前記農業用ハウス内に配置され、複数の栽培槽が移動自在に載置される複数の栽培用架台と、前記農業用ハウス内の空気の温度を調節する空調装置と、を備えた栽培システムであって、
前記農業用ハウスは、前記栽培用架台が設けられる内側ハウス部と、前記内側ハウス部の外側を覆う外側ハウス部と、に仕切られ、
前記栽培用架台は、周辺部から閉鎖されて内部に空気たまり部が形成された箱型状の本体部と、前記本体部の周囲を覆って本体部を防水する防水カバーと、によって形成され、前記本体部の空気溜まり部は、前記内側ハウス部の内部の空気から伝熱されることによって蓄熱可能となっており、
前記栽培槽は、前記栽培用架台に載置されることにより前記空気溜まり部の蓄熱が伝熱され、
前記空調装置は、前記内側ハウス部と室内機排出口によって連通される室内機と、前記室内機と冷媒パイプを介して接続される室外機と、を備えることを特徴とする栽培システム。
【請求項２】
前記栽培用架台は、前記栽培槽からの排水を受け取る排水手段が設けられていることを特徴とする請求項１に記載の栽培システム。
【請求項３】
温調管、温調用フィルムヒーター、及び貯水部の内の少なくとも一つが前記栽培用架台と前記栽培槽との間に挟まれていることを特徴とする請求項１又は２に記載の栽培システム。
【請求項４】
前記室外機が、前記農業用ハウスの内部に設けられていることを特徴とする請求項１に記載の栽培システム。
【請求項５】
前記空調装置が、室外機と室内機とが一体に移動可能に形成されていることを特徴とする請求項１に記載の栽培システム。
【請求項６】
更に、室外機と室内機とが一体に移動可能に形成された空調装置と嵌合し、前記空調装置を収容する空調装置取付部が前記農業用ハウスに形成されていることを特徴とする請求項５に記載の栽培システム。
【請求項７】
前記室外機に外気を供給する外気吸気口が前記農業用ハウスに形成され、前記室外機の駆動力によって発生した空気流を前記外気吸気口以外の方向に排気する排気手段が前記室外機と臨むように前記農業用ハウスに設けられていることを特徴とする請求項４に記載の栽培システム。
【請求項８】
前記排気手段は、前記室外機に臨んだ位置となるように前記農業用ハウスに膨縮自在に設けられたシートシャッターからなり、前記シートシャッターは、前記空気流を前記外気吸気口以外の方向に導くように膨張することを特徴とする請求項７に記載の栽培システム。
【請求項９】
前記室外機の周囲に、室外機を加熱して結氷を融解する補助加熱部材が設けられていることを特徴とする請求項１に記載の栽培システム。
【請求項１０】
前記空調装置は、冷房装置として作動しているときに室内機で生成される凝縮水を室外機に噴霧して室外機を冷却する噴霧装置を備えることを特徴とする請求項１に記載の栽培システム。
【請求項１１】
前記外側ハウス部は、前記被覆材によって覆われる門型の主骨材と、クロス部において前記主骨材に連結される補助骨材と、地中に埋設され、前記主骨材の下端部と前記補助骨材の下端部とが交差した状態で打ち込まれる地中に埋設されたアンカーと、前記アンカーよりも外方の地中に埋設された外部アンカーと、前記外部アンカーと前記クロス部とにかけ渡された牽引ワイヤーと、によって形成されていることを特徴とする請求項１に記載の栽培システム。
【請求項１２】
前記クロス部は、前記主骨材又は前記補助骨材と前記被覆材との間に配置されたスペーサーと、前記スペーサーと前記主骨材又は前記補助骨材と前記被覆材とを結束させ前記牽引ワイヤーと連結されるワイヤーリングと、を備えていることを特徴とする請求項１１に記載の栽培システム。
【請求項１３】
前記補助骨材は、前記主骨材の中心に対して左右対象となって設けられる第１補助骨材及び第２補助骨材のそれぞれが、前記クロス部において前記主骨材に連結されていることを特徴とする請求項１１に記載の栽培システム。
【請求項１４】
前記主骨材の中心からセンター骨材が垂下しており、前記第１補助骨材及び第２補助骨材は、前記第１補助骨材及び第２補助骨材が交差する連結クロス部において前記センター骨材に連結されていることを特徴とする請求項１１に記載の栽培システム。
【発明の詳細な説明】
【技術分野】
【０００１】
本発明は、栽培システムに係り、より詳しくは、農業用ハウスにおける野菜、果物等の農産物の栽培品目に汎用性があり、農業用ハウス内のレイアウトの変更が可能であると共に、農業用ハウス内のエネルギー効率が向上した栽培システムに関する。
【背景技術】
【０００２】
農業用ハウスを用いるハウス栽培は、季節や天候に左右されずコンスタントな計画生産が行えるなどの点で、従来からの露地栽培に対しての優位性がある。また、農薬を使わないか又は非常の少しの農薬で済むなどの環境面での長所もある。しかし、既存の農業用ハウスによる栽培システムは作物の特性に合わせた専用設備がほとんどで、汎用性は考えられてこなかった。このため作物は、一般的には種まきから収穫まで同じ農業用ハウスで栽培されていた。
【０００３】
即ち、従来の専用栽培システムは、環境制御が外部からはできないため、栽培システムの内部に温熱管などを配置せねばならず、植え付けから収穫まで栽培の途中で移動したりレイアウトを変更したり、作物や栽培面積を変更したりすることはできなかった。
【０００４】
植物工場という見地から考えた場合、農産物のように多種多品目で季節性があり、生産に日時を有し、価格変動の激しい商品を生産するのに、上記システムのような専用設備を設置することは、農産物の生産管理の硬直化を招いて市場動向への対応が遅れ、経営効率の低下を招き、設備投資の危険性を増大させるものである。
そこで、汎用性があり、栽培品目やレイアウトの変更が可能な栽培システムの開発が望まれてきた。
【０００５】
また、農業用ハウスによる植物栽培は、栽培槽の側面が空気に触れ、土壌の量も少ないことから、通常の露地栽培では地面の下にある根の部分が、露地栽培よりも気温の変化を受けやすいという問題がある。植物は、地上部分はある程度の気温の変化に対応性があり、場合によってはある程度の気温の変化があった方が良い場合もある。しかし根の部分は気温の変化に弱いので、根の部分の環境コントロールが大切である。
【０００６】
従来の農業用ハウスは、大型のハウスは強度のある鉄骨の間に細い鉄骨を組み合わせて建設され、小さい農業用ハウスはアーチ状にした細い骨材で建設されている。何れも専用の建材で部品数も多く、建設が大変で建設費用も高いものである。
また、大小何れの農業用ハウスも、骨組みに被覆を被せただけの構造であるために、骨組みだけの強度で立っている状態であり、暴風や突風によって倒壊することがあった。
【０００７】
農業用空調装置は、厳しい自然環境に対応するため、高効率と高い耐久性及び堅牢性が求められる。現在農業用に普及している空調装置は、室内機と室外機が固定設置されているものが多い。しかし、（ａ）農業用ハウスは堅牢性に劣るものが多く、特に建設後年数の経った農業用ハウスに高価な空調装置を設置するのは投資効率が低い、（ｂ）夏期の冷房、あるいは冬期の冷房のみを目的として空調装置を設置するのは投資効率が低い、（ｃ）複数の農業用ハウスを有する場合は、効率的な運用をするためには空調装置の移動が必要な場合が生じる、などの問題点があった。
【０００８】
特許文献１には、防水を施した段ボールで製造され、底面に排水孔が設けられ、土壌が収容可能な栽培槽が開示されている。この栽培槽は、軽量で移動可能であって、作物の生育過程に応じて栽培設備・場所を変更できる。また土壌が収容できるので葉物野菜以外の栽培が可能であり、たとえばイチゴのような作物の栽培も可能である。しかし、従来の専用設備型の農業用ハウスでは、特許文献１に記載された栽培槽の特徴を生かすことができないという問題点があった。
【先行技術文献】
【特許文献】
【０００９】
【特許文献１】特願２０１２−１２９２３４号
【発明の概要】
【発明が解決しようとする課題】
【００１０】
本発明は、かかる課題を解決するためになされたものであって、汎用性があり、栽培品目やレイアウトの変更が可能な栽培システムを提供することを目的とする。
また本発明は、農業用ハウス内のエネルギー効率が向上した栽培システムを開発することを目的とする。
【課題を解決するための手段】
【００１１】
かかる課題を解決するための本発明の栽培システムは、被覆材によって覆われた農業用ハウスと、農業用ハウス内に配置され、複数の栽培槽が移動自在に載置される複数の栽培用架台と、農業用ハウス内の空気の温度を調節する空調装置と、を備えた栽培システムであって、
農業用ハウスは、栽培用架台が設けられる内側ハウス部と、内側ハウス部の外側を覆う外側ハウス部と、に仕切られ、栽培用架台は、周辺部から閉鎖されて内部に空気たまり部が形成された箱型状の本体部と、本体部の周囲を覆って本体部を防水する防水カバーと、によって形成され、本体部の空気溜まり部は、内側ハウス部の内部の空気から伝熱されることによって蓄熱可能となっており、栽培槽は、栽培用架台に載置されることにより空気溜まり部の蓄熱が伝熱され、空調装置は、内側ハウス部と室内機排出口によって連通される室内機と、室内機と冷媒パイプを介して接続される室外機と、を備えることを特徴とする。
【００１２】
前記栽培用架台は、栽培槽からの排水を受け取る排水手段が設けられていることを特徴とする。
前記栽培用架台と前記栽培槽との間に、温調管、温調用フィルムヒーター、及び貯水部の内の少なくとも一つが挟まれていることを特徴とする。
【００１３】
また本発明の栽培システムは、前記室外機が、農業用ハウスの内部に設けられていることを特徴とする。
また、前記空調装置が、室外機と室内機とが一体に移動可能に形成されていることを特徴とする。
また、更に、室外機と室内機とが一体に移動可能に形成された空調装置と嵌合し、空調装置を収容する空調装置取付部が前記農業用ハウスに形成されていることを特徴とする。
また、前記室外機に外気を供給する外気吸気口が農業用ハウス部に形成され、室外機の駆動力によって発生した空気流を外気吸気口以外の方向に排気する排気手段が室外機と臨むように農業用ハウスに設けられていることを特徴とする。
【００１４】
前記排気手段は、室外機に臨んだ位置となるように外側ハウス部に膨縮自在に設けられたシートシャッターからなり、シートシャッターは、空気流を外気吸気口以外の方向に導くように膨張することを特徴とする。
前記空調装置は、室外機の周囲に、室外機を加熱して結氷を融解する補助加熱部材が設けられていることを特徴とする。
前記空調装置は、冷房装置として作動しているときに室内機で生成される凝縮水を室外機に噴霧して室外機を冷却する噴霧装置を備えることを特徴とする。
【００１５】
また本発明の農業用ハウスは、外側ハウス部が、被覆材によって覆われる門型の主骨材と、クロス部によって主骨材に連結される補助骨材と、地中に埋設され、主骨材の下端部と補助骨材の下端部とが交差した状態で打ち込まれる地中に埋設されたアンカーと、アンカーよりも外方の地中に埋設された外部アンカーと、外部アンカーとクロス部とにかけ渡された牽引ワイヤーと、によって形成されていることを特徴とする。
【００１６】
前記クロス部は、主骨材又は補助骨材と被覆材との間に配置されたスペーサーと、スペーサーと主骨材又は補助骨材と被覆材とを結束させ牽引ワイヤーと連結されるワイヤーリングと、を備えていることを特徴とする。
【００１７】
前記補助骨材は、主骨材の中心に対して左右対象となって設けられる第１補助骨材及び第２補助骨材のそれぞれが、クロス部において主骨材に連結されていることを特徴とする。
また、前記主骨材の中心からセンター骨材が一体に垂下しており、第１補助骨材及び第２補助骨材は、第１補助骨材及び第２補助骨材が交差する連結クロス部によってセンター骨材に連結されていることを特徴とする。
【発明の効果】
【００１８】
本発明の栽培システムは、農業ハウス内に複数の栽培用架台が設けられ、栽培用架台上に複数の栽培槽が移動自在に載置されることによって、農業ハウス内のレイアウトの変更が容易である。
【００１９】
本発明の農業ハウスは、内側ハウス部と外側ハウス部とに仕切られ、栽培用架台は、周辺部から閉鎖されて内部に空気たまり部が形成された箱型状の本体部と、本体部の周囲を覆って本体部を防水する防水カバーと、によって形成され、栽培槽が栽培用架台に載置され栽培槽が栽培用架台に載置され空気溜まり部の蓄熱が伝熱されることによって、保温効果が上がり、空調装置の運転経費を削減できると共に、栽培される農産物の、特に根から下の部分の急激な温度変化を防ぐことができる。
【００２０】
更に本発明の農業用ハウスの空調装置は、室外機部分と、室内機部分と、コントローラー部分とのそれぞれが別個に移動可能に設けられていることによって、複数の農業用ハウス間の移動が容易であり、高価な空調装置の効率的な運用が可能であると共に、空調装置を借り入れて設備投資の負担を軽減することも可能である。
また本発明の農業用ハウスは、管状部材を用いたトラス構造で形成されることによって強度がすぐれている。また補助骨材の交差点である連結クロス部で補助骨材を相互に連結することによって、トラス構造が安定化され更に強度が増大する。
【図面の簡単な説明】
【００２１】
【図１】本発明の栽培システムの一実施例の構成図である。
【図２】本発明の栽培用架台及び栽培槽を示す図であり、（ａ）は栽培用架台の側面図であり、（ｂ）は栽培用架台の正面図である。
【図３】本発明の空調装置の図である。
【図４】本発明の農業用ハウスの組立図であり、（ａ）は正面図であり、（ｂ）側面図である。
【図５】本発明の農業用ハウスの脚部の構造を示す図である。
【図６】本発明の農業用ハウスの外部アンカー及び牽引ワイヤーを示す図である。
【図７】クロス部における外部アンカー２２と牽引ワイヤーとの連結方法を示す図である。
【発明を実施するための形態】
【００２２】
以下に、本発明の栽培システムに関して、添付図面を参照して詳細に説明する。
図１は本発明の栽培システムの一実施例の構成図である。
図１に示すように、本発明の栽培システム１は、被覆材２０に覆われた農業ハウス１０と、農業用ハウス１０内に配置され、複数の栽培槽１２０が移動自在に載置される複数の栽培用架台１００と、農業用ハウス１０内の空気の温度を調節する空調装置２００と、を備える。
【００２３】
農業用ハウス１０は、内側ハウス部３０と、内側ハウス部の外側を覆う外側ハウス部３２とに仕切られる。農業用ハウス１０全体から内側ハウス部３０を仕切り、暖気又は冷気を内側ハウス３０から外側ハウスに流れるようにすることによって、断熱効果を挙げると共に、冷暖房する部分の体積を縮小して冷暖房に要する経費を節減することができる。
【００２４】
内側ハウス３０内には、複数の栽培用架台１００が設けられる。栽培用架台１００は、周辺部から閉鎖されて内部に空気溜まり部１１４が形成された箱型状の本体部１３６と、本体部１３６の周囲を覆って本体部を防水する防水カバー１１２と、によって形成される。
空気溜まり部１１４は、内側ハウス部３０の内部の空気から伝熱されることによって蓄熱することができる。栽培槽１２０は、栽培用架台１００に載置されることにより空気溜まり部１１４の蓄熱が伝熱される。
空調装置２００は、内側ハウス部３０と室内機排出口２０８によって連通される室内機２０２と、室内機２０２と冷媒パイプ２０６を介して接続される室外機２０４と、を備える。
【００２５】
図２は、本発明の栽培用架台及び栽培槽を示す図であり、（ａ）は栽培用架台の側面図であり、（ｂ）は栽培用架台の正面図である。
図２（ａ）、（ｂ）に示すように、栽培用架台１００は、例えば、地面２に垂直に打ち込まれた基礎１３７と、基礎１３７に取り付けられた２本の平行なパイプレール１３８と、パイプレール１３８の上方に移動及び固定可能に取り付けられ防水カバー１１２で覆われた本体部１３６と、本体部１３６の内部に設けられた空気溜まり部１１４と、天板１３２と、を含み、更に栽培槽１２０からの排水を受け取る排水手段１３４が設けられることが好ましい。
【００２６】
天板１３２の周縁には側壁部１３１を設けて貯水部１２８を設けることができ、貯水部１２８を利用して水耕栽培をおこなうことができる。
本発明の栽培用架台１００は、例えば防水処理を施した段ボールや発泡高分子樹脂素材などの断熱性に優れた素材で形成することができ、天板１３２は、例えば発泡ポリエチレンなどの軽量で剛性に優れた素材を用いて形成することができる。天板１３２の上には、栽培槽１２０が移動自在に載置される。
【００２７】
栽培槽１２０は、側面に空気層１３３を設け、底面に排水孔（図示しない）を設けることが好ましく、例えば土壌のような栽培材料を収容することができる。栽培槽１２０の側面に設けられた空気層１３３は、栽培用架台１００の空気溜まり部１１４の空気に蓄えられた熱によって暖められることができる。
【００２８】
栽培槽と栽培用架台の間には、温調管１３９、温調用フィルムヒーター１２６を配置して貯水部１２８及び栽培槽１２０を加熱又は冷却するように配備することができる。
本発明の栽培槽１２０は、例えば防水処理を施した段ボールや発泡高分子樹脂素材で形成することができる。
【００２９】
図３は、本発明の空調装置の図である。
図３に示すように、本発明の空調装置２００は、室内機２０２と室外機２０４とを備え、室内機２０２は、内側ハウス部３０に連通する室内機吸入口２０７を有することが好ましい。
【００３０】
本発明の室外機２０４は、農業用ハウス１０の内部に設けられ、農業用ハウス１０の外面に外気吸気口２１０と外気排出口２１１を備え、外気吸気口２１０にはシャッター２１２が設けられることが好ましい。
【００３１】
空調装置２００は、室内機２０２と室外機２０４が一体に形成されることが好ましく、また移動可能に配備されることが好ましい。しかし、室内機２０２と室外機２０４を別体として設けることもでき、またそれぞれを固定設置することもできる。
農業用ハウスに、更に、室外機と室内機とが一体に移動可能に形成された空調装置と嵌合し、前記空調装置を収容する空調装置取付部３４が形成されることが好ましい。
【００３２】
外気排出口２１１には、室外機２０４の駆動力によって発生した空気流２１５を外気吸気口２１０以外の方向に排気する排気手段２１４が室外機２０４と臨むように農業用ハウス１０に設けられていることが望ましい。
排気手段２１２は、室外機２０４に臨んだ位置となるように農業用ハウス１０に膨縮自在に設けられたシートシャッター２１６からなり、シートシャッター２１６は、空気流２１５を外気吸気口２１０以外の方向に導くように膨張することができる。
【００３３】
シャッター２１２とシートシャッター２１６とは、空調装置を使用しないときは閉じて室外機と外気とを遮断することができる。このように配備することによって、特に寒冷地の厳寒期の苛酷な天候から室外機を保護し、暖房効率を上げることができる。
【００３４】
本発明の空調装置２００は、室外機２０４の周囲に、室外機２０４を加熱して結氷を融解する補助加熱部材２２０が設けられていることが好ましい。補助加熱部材２２０を用いることによって、冷房中に発生する結氷の融解に要する時間を大幅に短縮することができ、結氷の融解中に農業用ハウス１０内部の温度の低下を防ぎ、結果的に温調経費を削減することができる。
【００３５】
また、本発明の空調装置２００は、冷房装置として作動しているときに室内機で生成される凝縮水を室外機に噴霧して室外機を冷却する装置を備えることができる。これによって室外機を冷却し、温調経費を削減することができる。
【００３６】
図４は、本発明の農業用ハウスの組立図であり、（ａ）は正面図であり、（ｂ）は側面図である。
図４（ａ）に示すように、本発明の栽培システム１は、被覆材２０によって覆われた農業用ハウス１０と、農業用ハウス１０内に配置され、栽培槽１２０が載置される複数の栽培用架台１００と、農業用ハウス１０の空気の温度を調節する移動式の空調装置２００（図時しない）と、を含んで構成される。
【００３７】
本発明の農業用ハウス１０の横断面（長軸と直交する面）の構造骨組みは、トラス構造、即ち直線的な部材で構成される三角形を単位として構成されることを特徴とする。
具体的には、構造骨組みは、好ましくは、被覆材２０によって覆われる門型の主骨材１１と、一対の傾斜した門型の補助骨材と、からなり、補助骨材は、主骨材１１の中心に対して左右対象となって配置される第１補助骨材１２及び第２補助骨材１３を含むことができる。
第１補助骨材１２及び第２補助骨材１３は、主骨材１１の内側でクロス部１５において主骨材１１に連結され、それぞれが主骨材１１と角度をずらしながらクロス部１５で連結されて三角形を形成することができる。
【００３８】
また、第１補助骨材１２及び第２補助骨材１３は連結クロス部１６において相互に連結されて三角形を形成することができる。更に、主骨材１１の中心からセンター骨材１４が一体に垂下され、センター骨材１４は、第１補助骨材１２及び第２補助骨材１３が交差する前記連結クロス部１６においてセンター骨材１４に連結されることが好ましい。
【００３９】
本発明の農業用ハウス１０の骨組みはトラス構造にすることによって、本発明の農業用ハウス１０は従来よりも細い管材、例えば建築足場用のパイプを用いて大型の農業用ハウスを建設することが可能になり、建設コストを削減することができる。
図１（ｂ）に示すように、好ましい実施形態として、複数の主骨材１１の中心を主棟材１７で連結し、複数のクロス部１５を副棟材１８で連結することができる。
【００４０】
図５は、本発明の農業用ハウスの脚部の構造を示す図である。
図５に示すように、主骨材１１の下端部と第１補助骨材１２の下端部、及び主骨材１１の下端部と第２補助骨材１３の下端部は、交差した状態で地中に埋設されたアンカー２１に打ち込まれ、地中で双方が開いた形状となることが好ましい。
【００４１】
図６は、本発明の農業用ハウスの外部アンカー及び牽引ワイヤーを示す図である。
図４（ａ）及び図６に示すように、アンカー２１よりも外方の地中に埋設された外部アンカー２２を設け、外部アンカー２２と、クロス部１５を牽引ワイヤー２３によって連結することができる。外部アンカー２３を複数のクロス部１５に連結することによって、風向の異なる風に対する優れた補強効果を得ることができる。
【００４２】
図７は、クロス部における外部アンカー２２と牽引ワイヤーとの連結方法を示す図である。
図４に示すように、被覆材２０と主骨材１１の間に擦れ止のスペーサー２４を挿入し、ワイヤーリング２６を、被覆材２０を貫通させ被覆材２０と主骨材を巻くように設け、ワイヤーリング２６に牽引ワイヤー２３を連結し、牽引ワイヤー２３を外部アンカー２２と連結することができる。
被覆材２０は、複層に形成することができる。
【符号の説明】
【００４３】
１      栽培システム
２      地面
１０      農業用ハウス
１１      主骨材
１２      第１補助骨材
１３      第２補助骨材
１４      センター骨材
１５      クロス部
１６      連結クロス部
１７      主棟材
１８      副棟材
２０      被覆材
２１      アンカー
２２      外部アンカー
２３      牽引ワイヤー
２４      スペーサー
２６      ワイヤーリング
２７      第１補助骨材
２８      第２補助骨材
３０      内側ハウス部
３２      外側ハウス部
３４      空調機取付部
１００      栽培用架台
１１２      防水カバー
１１４      空気溜まり部
１２０      栽培槽
１２６      温調用フィルムヒーター
１２８      貯水部
１３１      側壁部
１３２      天板
１３３      空気層
１３４      排水手段
１３６      本体部
１３８      パイプレール
１３９      温調管
２００      空調装置
２０２      室内機
２０４      室外機
２０６      冷却パイプ
２０７      室内機吸入口
２０８      室内機排出口
２１０      外気吸気口
２１１      外気排出口
２１２      シャッター
２１４      排気手段
２１５      空気流
２１６      シートシャッター
２２０      補助加熱部材
２３０      噴霧装置
【図１】
2015073451.tif 000003
【図２】
2015073451.tif 000004
【図３】
2015073451.tif 000005
【図４】
2015073451.tif 000006
【図５】
2015073451.tif 000007
【図６】
2015073451.tif 000008
【図７】
2015073451.tif 000009